(57)【要約】【課題】携帯情報端末における利便性を向上させる。【解決手段】ディジタルデータ配信システムは、サーバシステムにより予め、アナログ情報から文字情報に対応する音声データ又は文字データを取得し（ステップＳ２１０）、そのアナログ情報から画像情報に対応する画像データを取得して（ステップＳ２２０〜Ｓ２３０）、音声データ又は文字データと、画像データとを含むディジタルデータを作成しておく（ステップＳ２４０）。クライアントシステムにより、ディジタルデータを受信し、文字情報に対応する出力情報として、ディジタルデータが音声データを含む場合その音声データを音声として再生し、ディジタルデータが文字データを含む場合、文字データを字幕として表示し、画像情報に対応する出力情報として、ディジタルデータに含まれる画像データを画像として表示する。【選択図】        図２
2004194002.tif 000002
【特許請求の範囲】
【請求項１】
ディジタルデータを配信するためのサーバシステムと、サーバシステムに接続し前記ディジタルデータを受信可能なクライアントシステムとを有するディジタルデータ配信システムであって、
前記サーバシステムは、
文字情報と画像情報とを含むアナログ情報から、該文字情報に対応する音声データ又は文字データを取得する第１のデータ取得手段と、
前記アナログ情報から、前記画像情報に対応する画像データを取得する第２のデータ取得手段と、
前記第１のデータ取得手段によって取得した前記音声データ又は前記文字データと、前記第２のデータ取得手段によって取得した前記画像データとを含む前記ディジタルデータを作成するデータ作成手段とを備え、
前記クライアントシステムは、
前記文字情報に対応する出力情報として、前記ディジタルデータが前記音声データを含む場合、当該含まれる音声データを音声として再生し、前記ディジタルデータが前記文字データを含む場合、当該含まれる文字データを字幕として表示する文字情報出力手段と、
前記画像情報に対応する出力情報として、前記ディジタルデータに含まれる前記画像データを画像として表示する画像情報出力手段とを備えた
ことを特徴とするディジタルデータ配信システム。
【請求項２】
前記サーバシステムの前記データ作成手段は、前記ディジタルデータを作成する際に、前記音声データ又は前記文字データと、前記画像データとの関連付けを行い、
前記クライアントシステムは、前記データ作成手段による前記関連付けに従って、前記文字情報出力手段による前記音声の再生または前記字幕の表示と、前記画像情報出力手段による前記画像の表示とを同期させる第１の同期手段をさらに備えた
ことを特徴とする請求項１に記載のディジタルデータ配信システム。
【請求項３】
前記サーバシステムの前記第２のデータ取得手段は、前記画像情報に対応する画像データを取得した際に、該画像データの一部が前記音声データ又は前記文字データとの関連付けを有する場合には、当該関連付けを有する前記画像データの一部が、前記音声データ又は前記文字データと関連して動く動作処理を施した画像データを取得し、
前記クライアントシステムは、前記第２のデータ取得手段による前記動作処理に従って、前記文字情報出力手段による前記音声の再生または前記字幕の表示と、前記画像情報出力手段による前記画像の表示の一部とを同期させる第２の同期手段をさらに備えた
ことを特徴とする請求項１又は２に記載のディジタルデータ配信システム。
【請求項４】
請求項１乃至３のいずれかに記載のディジタルデータ配信システムのサーバシステムが有する前記第１のデータ取得手段、前記第２のデータ取得手段、及び前記データ作成手段を備えたことを特徴とするディジタルデータ配信システムのサーバシステム。
【請求項５】
請求項１に記載のディジタルデータ配信システムのクライアントシステムが有する前記文字情報出力手段と前記画像情報出力手段とを備えたことを特徴とするディジタルデータ配信システムのクライアントシステム。
【請求項６】
請求項２に記載のディジタルデータ配信システムのクライアントシステムが有する前記第１の同期手段をさらに備えたことを特徴とする請求項５に記載のディジタルデータ配信システムのクライアントシステム。
【請求項７】
請求項３に記載のディジタルデータ配信システムのクライアントシステムが有する前記第２の同期手段をさらに備えたことを特徴とする請求項５又は６に記載のディジタルデータ配信システムのクライアントシステム。
【請求項８】
ディジタルデータを配信するためのサーバシステムと、サーバシステムに接続し前記ディジタルデータを受信可能なクライアントシステムとを有するディジタルデータ配信システムのディジタルデータ配信方法であって、
前記サーバシステムにより、文字情報と画像情報とを含むアナログ情報から、該文字情報に対応する音声データ又は文字データを取得する第１のデータ取得ステップと、
前記サーバシステムにより、前記アナログ情報から、前記画像情報に対応する画像データを取得する第２のデータ取得ステップと、
前記サーバシステムにより、前記第１のデータ取得ステップにおいて取得された前記音声データ又は前記文字データと、前記第２のデータ取得ステップにおいて取得された前記画像データとを含む前記ディジタルデータを作成するデータ作成ステップと、
前記クライアントシステムにより、前記ディジタルデータを受信する受信ステップと、
前記クライアントシステムにより、前記文字情報に対応する出力情報として、前記受信ステップにおいて受信された前記ディジタルデータが前記音声データを含む場合、当該含まれる音声データを音声として再生し、前記ディジタルデータが前記文字データを含む場合、当該含まれる文字データを字幕として表示する文字情報出力ステップと、
前記クライアントシステムにより、前記画像情報に対応する出力情報として、前記受信ステップにおいて受信された前記ディジタルデータに含まれる前記画像データを画像として表示する画像情報出力ステップと
を備えたことを特徴とするディジタルデータ配信方法。
【請求項９】
前記データ作成ステップでは、前記ディジタルデータを作成する際に、前記音声データ又は前記文字データと、前記画像データとの関連付けを行い、
前記クライアントシステムにより、前記データ作成ステップにおける前記関連付けに従って、前記文字情報出力ステップにおける前記音声の再生または前記字幕の表示と、前記画像情報出力ステップにおける前記画像の表示とを同期させる第１の同期ステップをさらに備えた
ことを特徴とする請求項８に記載のディジタルデータ配信方法。
【請求項１０】
前記第２のデータ取得ステップでは、前記画像情報に対応する画像データを取得した際に、該画像データの一部が前記音声データ又は前記文字データとの関連付けを有する場合には、当該関連付けを有する前記画像データの一部が、前記音声データ又は前記文字データと関連して動く動作処理を施した画像データを取得し、
前記クライアントシステムにより、前記第２のデータ取得ステップにおける前記動作処理に従って、前記文字情報出力ステップにおける前記音声の再生または前記字幕の表示と、前記画像情報出力ステップにおける前記画像の表示の一部とを同期させる第２の同期ステップをさらに備えた
ことを特徴とする請求項８又は９に記載のディジタルデータ配信方法。
【請求項１１】
ディジタルデータを配信するためのサーバシステムと、サーバシステムに接続し前記ディジタルデータを受信可能なクライアントシステムとを有する、ディジタルデータ配信システムで使用されるサーバシステムのディジタルデータ作成方法であって、
前記サーバシステムのＣＰＵにより、文字情報と画像情報とを含むアナログ情報から、該文字情報に対応する音声データ又は文字データを取得する第１のデータ取得ステップと、
前記ＣＰＵにより、前記アナログ情報から、前記画像情報に対応する画像データを取得する第２のデータ取得ステップと、
前記ＣＰＵにより、前記第１のデータ取得ステップにおいて取得された前記音声データ又は前記文字データと、前記第２のデータ取得ステップにおいて取得された前記画像データとを含む前記ディジタルデータを作成するデータ作成ステップとを備え、
前記クライアントシステムにより、前記ディジタルデータを受信し、前記文字情報に対応する出力情報として、受信された前記ディジタルデータが前記音声データを含む場合、当該含まれる音声データを音声として再生し、前記ディジタルデータが前記文字データを含む場合、当該含まれる文字データを字幕として表示し、前記画像情報に対応する出力情報として、受信された前記ディジタルデータに含まれる前記画像データを画像として表示する
ことを特徴とするサーバシステムのディジタルデータ作成方法。
【請求項１２】
前記データ作成ステップでは、前記ディジタルデータを作成する際に、前記音声データ又は前記文字データと、前記画像データとの関連付けを行い、
前記クライアントシステムにより、前記データ作成ステップにおける前記関連付けに従って、前記音声の再生または前記字幕の表示と、前記画像の表示とを同期させる
ことを特徴とする請求項１１に記載のサーバシステムのディジタルデータ作成方法。
【請求項１３】
前記第２のデータ取得ステップでは、前記画像情報に対応する画像データを取得した際に、該画像データの一部が前記音声データ又は前記文字データとの関連付けを有する場合には、当該関連付けを有する前記画像データの一部が、前記音声データ又は前記文字データと関連して動く動作処理を施した画像データを取得し、
前記クライアントシステムにより、前記第２のデータ取得ステップにおける前記動作処理に従って、前記音声の再生または前記字幕の表示と、前記画像の表示の一部とを同期させる
ことを特徴とする請求項１１又は１２に記載のサーバシステムのディジタルデータ作成方法。
【請求項１４】
ディジタルデータを配信するためのサーバシステムと、サーバシステムに接続し前記ディジタルデータを受信可能なクライアントシステムとを有する、ディジタルデータ配信システムで使用されるクライアントシステムのディジタルデータ再生方法であって、
前記サーバシステムにより予め、文字情報と画像情報とを含むアナログ情報から、該文字情報に対応する音声データ又は文字データを取得し、前記アナログ情報から、前記画像情報に対応する画像データを取得して、取得された前記音声データ又は前記文字データと、取得された前記画像データとを含む前記ディジタルデータを作成しておき、
前記クライアントシステムのＣＰＵにより、前記ディジタルデータを受信する受信ステップと、
前記ＣＰＵにより、前記文字情報に対応する出力情報として、前記受信ステップにおいて受信された前記ディジタルデータが前記音声データを含む場合、当該含まれる音声データを音声として再生し、前記ディジタルデータが前記文字データを含む場合、当該含まれる文字データを字幕として表示する文字情報出力ステップと、
前記ＣＰＵにより、前記画像情報に対応する出力情報として、前記受信ステップにおいて受信された前記ディジタルデータに含まれる前記画像データを画像として表示する画像情報出力ステップと
を備えたことを特徴とするクライアントシステムのディジタルデータ再生方法。
【請求項１５】
前記サーバシステムでは、前記ディジタルデータを作成する際に、前記音声データ又は前記文字データと、前記画像データとの関連付けを行い、
前記ＣＰＵにより、前記関連付けに従って、前記文字情報出力ステップにおける前記音声の再生または前記字幕の表示と、前記画像情報出力ステップにおける前記画像の表示とを同期させる第１の同期ステップをさらに備えた
ことを特徴とする請求項１４に記載のクライアントシステムのディジタルデータ再生方法。
【請求項１６】
前記サーバシステムでは、前記画像情報に対応する画像データを取得した際に、該画像データの一部が前記音声データ又は前記文字データとの関連付けを有する場合には、当該関連付けを有する前記画像データの一部が、前記音声データ又は前記文字データと関連して動く動作処理を施した画像データを取得し、
前記ＣＰＵにより、前記動作処理に従って、前記文字情報出力ステップにおける前記音声の再生または前記字幕の表示と、前記画像情報出力ステップにおける前記画像の表示の一部とを同期させる第２の同期ステップをさらに備えた
ことを特徴とする請求項１４又は１５に記載のクライアントシステムのディジタルデータ再生方法。
【発明の詳細な説明】
【０００１】
【発明の属する技術分野】
本発明は、ディジタルデータ配信システム及び方法に関し、より詳しくは、紙媒体における情報をディジタル化して配信するシステムにおいて利用するのに適するディジタルデータ配信システム、そのサーバシステム、そのクライアントシステム、ディジタルデータ配信方法、サーバシステムのディジタルデータ作成方法、及びクライアントシステムのディジタルデータ再生方法に関する。
【０００２】
【従来の技術】
昨今、ディジタル化された電子書籍をＰＤＡ（Personal Digital Assistant）などの携帯情報端末へ配信するサービスの商用化が始まっている。あらかじめユーザの携帯情報端末へ書籍を閲覧するための閲覧ソフトウェアをインストールすることで、ユーザが選択した新聞や小説などの書籍をオンラインまたはダウンロードして読むことができるシステムである。
【０００３】
このようなシステムにおいては、元来紙媒体で流通している情報をディジタル化する処理が必要となる。紙媒体の情報をディジタル化する手法として、写真や絵、図などの画像はそのままスキャンしてディジタル化する一方、文字は同様に画像としてスキャンされる以外に、ＯＣＲ（Optical Character Reader）ソフトウェアにより活字に読み上げられる場合もある。
【０００４】
上記サービスの一例として、試験提供が始まっている「無線LAN倶楽部（商標）」がある。このサービスでは、ディジタル化された新聞、雑誌、タウン情報などをPDAで読むことができる（例えば、非特許文献１、２参照）。
【０００５】
【非特許文献１】
エヌ・ティ・ティ・ブロードバンドプラットフォーム株式会社、”無線LAN倶楽部”、［online］、［平成１４年１２月４日検索］、インターネット＜URL：http://www.ntt-bp.net/pc/index.html＞
【０００６】
【非特許文献２】
「読売新聞〜”変わる!？通勤風景”」読売新聞社、平成１４年１０月１１日
【０００７】
【発明が解決しようとする課題】
しかしながら、上述の背景において、ディジタル化された情報をユーザ端末へ配信するシステムを想定した時に、ユーザ端末が携帯に便利なように小型化された端末である場合は端末の画面が小さい。
【０００８】
このため、これまでの手法でディジタル化された情報では文字が小さくなりすぎたり、画面の更新が頻繁に起こるため操作がわずらわしかったりと様々な不便が発生する。即ち、小型化されたユーザの携帯情報端末に対して、元来紙媒体の情報をディジタル化して配信する場合において、ユーザの利便性を伴わなければサービスとして成り立たないという解決すべき課題が従来技術にはあった。
【０００９】
本発明は、このような課題に鑑みてなされたもので、その目的とするところは、携帯情報端末における利便性を向上させたディジタルデータ配信システム及び方法を提供することにある。
【００１０】
【課題を解決するための手段】
このような目的を達成するために、本発明のディジタルデータ配信システムは、ディジタルデータを配信するためのサーバシステムと、サーバシステムに接続し前記ディジタルデータを受信可能なクライアントシステムとを有するディジタルデータ配信システムであって、前記サーバシステムは、文字情報と画像情報とを含むアナログ情報から、該文字情報に対応する音声データ又は文字データを取得する第１のデータ取得手段と、前記アナログ情報から、前記画像情報に対応する画像データを取得する第２のデータ取得手段と、前記第１のデータ取得手段によって取得した前記音声データ又は前記文字データと、前記第２のデータ取得手段によって取得した前記画像データとを含む前記ディジタルデータを作成するデータ作成手段とを備え、前記クライアントシステムは、前記文字情報に対応する出力情報として、前記ディジタルデータが前記音声データを含む場合、当該含まれる音声データを音声として再生し、前記ディジタルデータが前記文字データを含む場合、当該含まれる文字データを字幕として表示する文字情報出力手段と、前記画像情報に対応する出力情報として、前記ディジタルデータに含まれる前記画像データを画像として表示する画像情報出力手段とを備えたことを特徴とする（図２、３、６、７に対応）。
【００１１】
ここで、前記サーバシステムの前記データ作成手段は、前記ディジタルデータを作成する際に、前記音声データ又は前記文字データと、前記画像データとの関連付けを行い、前記クライアントシステムは、前記データ作成手段による前記関連付けに従って、前記文字情報出力手段による前記音声の再生または前記字幕の表示と、前記画像情報出力手段による前記画像の表示とを同期させる第１の同期手段をさらに備えたことを特徴とすることができる（図２、３、６、７に対応）。
【００１２】
また、前記サーバシステムの前記第２のデータ取得手段は、前記画像情報に対応する画像データを取得した際に、該画像データの一部が前記音声データ又は前記文字データとの関連付けを有する場合には、当該関連付けを有する前記画像データの一部が、前記音声データ又は前記文字データと関連して動く動作処理を施した画像データを取得し、前記クライアントシステムは、前記第２のデータ取得手段による前記動作処理に従って、前記文字情報出力手段による前記音声の再生または前記字幕の表示と、前記画像情報出力手段による前記画像の表示の一部とを同期させる第２の同期手段をさらに備えたことを特徴とすることができる（図２、３、６、７に対応）。
【００１３】
また、上記目的を達成するために、本発明のディジタルデータ配信方法は、
ディジタルデータを配信するためのサーバシステムと、サーバシステムに接続し前記ディジタルデータを受信可能なクライアントシステムとを有するディジタルデータ配信システムのディジタルデータ配信方法であって、前記サーバシステムにより、文字情報と画像情報とを含むアナログ情報から、該文字情報に対応する音声データ又は文字データを取得する第１のデータ取得ステップと、前記サーバシステムにより、前記アナログ情報から、前記画像情報に対応する画像データを取得する第２のデータ取得ステップと、前記サーバシステムにより、前記第１のデータ取得ステップにおいて取得された前記音声データ又は前記文字データと、前記第２のデータ取得ステップにおいて取得された前記画像データとを含む前記ディジタルデータを作成するデータ作成ステップと、前記クライアントシステムにより、前記ディジタルデータを受信する受信ステップと、前記クライアントシステムにより、前記文字情報に対応する出力情報として、前記受信ステップにおいて受信された前記ディジタルデータが前記音声データを含む場合、当該含まれる音声データを音声として再生し、前記ディジタルデータが前記文字データを含む場合、当該含まれる文字データを字幕として表示する文字情報出力ステップと、前記クライアントシステムにより、前記画像情報に対応する出力情報として、前記受信ステップにおいて受信された前記ディジタルデータに含まれる前記画像データを画像として表示する画像情報出力ステップとを備えたことを特徴とする（図２、３、６、７に対応）。
【００１４】
ここで、前記データ作成ステップでは、前記ディジタルデータを作成する際に、前記音声データ又は前記文字データと、前記画像データとの関連付けを行い、前記クライアントシステムにより、前記データ作成ステップにおける前記関連付けに従って、前記文字情報出力ステップにおける前記音声の再生または前記字幕の表示と、前記画像情報出力ステップにおける前記画像の表示とを同期させる第１の同期ステップをさらに備えたことを特徴とすることができる（図２、３、６、７に対応）。
【００１５】
また、前記第２のデータ取得ステップでは、前記画像情報に対応する画像データを取得した際に、該画像データの一部が前記音声データ又は前記文字データとの関連付けを有する場合には、当該関連付けを有する前記画像データの一部が、前記音声データ又は前記文字データと関連して動く動作処理を施した画像データを取得し、前記クライアントシステムにより、前記第２のデータ取得ステップにおける前記動作処理に従って、前記文字情報出力ステップにおける前記音声の再生または前記字幕の表示と、前記画像情報出力ステップにおける前記画像の表示の一部とを同期させる第２の同期ステップをさらに備えたことを特徴とすることができる（図２、３、６、７に対応）。
【００１６】
なお、特許請求の範囲と対応する実施形態及び図番を（）で示す。ただし、特許請求の範囲に記載した構成要素は上記（）部の実施形態の構成部に限定されるものではない。
【００１７】
本発明の以上の構成により、紙媒体の情報をディジタル化する際に文字を画像と同様に扱わず、文字を読み上げた音声若しくは字幕としてディジタル化することで、携帯情報端末の小型化に対応する。
【００１８】
また、画像と文字が共存し、相互に関連付けがある情報に対しては、文字を読み上げた音声若しくは字幕と画像との関連付けを行いながらディジタル化し、情報携帯端末では関連付けられた画像と音声若しくは字幕とを同期させて再生する。
【００１９】
さらに、画像中の一部と音声若しくは字幕との間に関連付けがある場合、その音声若しくは字幕を再生中にその音声若しくは字幕と関連する画像の一部が動くことでその関連性を明確にする。たとえばその音声若しくは字幕が画像中に複数存在する人物の内の一人の発言である場合、その人物と発言との関連付けを明確にするため、発言を再生中はその人物の口元が動くように処理する。
【００２０】
【発明の実施の形態】
以下、図面を参照して本発明の実施形態を詳細に説明する。なお、各図面において同様の機能を有する箇所には同一の符号を付し、説明の重複は省略する。
【００２１】
［実施形態１］
図１は、本実施形態１のディジタルデータ配信システムのシステム構成図である。図１において、ディジタルデータ配信システム１０１は、サーバ・クライアント型の配信システムであり、クライアントシステムの携帯情報端末１０６への最終アクセスラインに無線回線１０５を利用した場合を示し、携帯情報端末１０６は無線通信機能を備え、近くのアクセスポイント１０４へ接続する。
【００２２】
一方、図中符号１０２はコンテンツ事業会社のサーバシステムであり、ディジタル処理端末１０７と配信サーバ１０８とを含む。書籍など紙媒体の情報は、ディジタル処理端末１０７においてディジタル処理が施される。ディジタル処理後のディジタルデータは配信サーバ１０８に配備され、配信リクエストのあったユーザの携帯情報端末１０６へ、通信ネットワーク１０３とアクセスポイント１０４経由で配信される。
【００２３】
携帯情報端末１０６は、ＣＰＵ１０６ａ、配信されたディジタルデータを閲覧するための閲覧ソフトウェア１０６ｂ等を有する。また、ディジタル処理端末１０７は、ＣＰＵ１０７ａ、ＷＥＢコンテンツである上述のディジタルデータを作成するためのＷＥＢコンテンツ作成ソフトウェア１０７ｂ、音声合成ソフトウェア１０７ｃ、ＯＣＲソフトウェア１０７ｄ、スキャナ１０７ｅ、マイクロフォン１０７ｆ等を有する。配信サーバ１０８は、ＣＰＵ１０８ａ、携帯情報端末１０６やディジタル処理端末１０７等からの指示を受け処理をする制御ソフトウェアであるサーバエンジン１０８ｂ、ディジタル処理端末１０７で処理されたディジタルデータを格納するＤＢ（data base）１０８ｃ等を有する。
【００２４】
図２は、ディジタル処理端末１０７におけるディジタルデータ作成処理を示すフローチャートである。このディジタルデータ作成処理は、ＣＰＵ１０７ａが、ＷＥＢコンテンツ作成ソフトウェア１０７ｂ、音声合成ソフトウェア１０７ｃ、ＯＣＲソフトウェア１０７ｄ等を実行することにより行われる。
【００２５】
図２において、ＣＰＵ１０７ａは、紙媒体のアナログ情報をスキャナ１０７ｅで読み取ったディジタル情報から、文字情報と画像情報とを分別する（ステップＳ２００）。
【００２６】
ステップＳ２１０において、ＣＰＵ１０７ａは、分別した文字情報をＯＣＲソフトウェア１０７ｄで読み上げた文字データを、音声合成ソフトウェア１０７ｃによって音声化したディジタルデータの音声データを得る。若しくは、ステップＳ２１０において、ＣＰＵ１０７ａは、人に読み上げられた紙媒体の文字情報の音声をマイクロフォン１０７ｆから取り込み、レコーダソフトウェア（不図示）によって音声化したディジタルデータにエンコードして音声データを得てもよい。又はステップＳ２１０において、音声化処理に替えて、ＣＰＵ１０７ａは、分別した文字情報をＯＣＲソフトウェア１０７ｄで読み上げた文字データを、そのまま取り込んでもよい。
【００２７】
一方、ステップＳ２２０において、ＣＰＵ１０７ａは、分別した画像情報の画像部分を走査（スキャン）してディジタル化した画像データを得る。画像データの一部が取り込んだ音声データ又は文字データと関連付けがある場合、たとえば音声データ又は文字データが画像中のある一人の発言である場合、ＣＰＵ１０７ａは、ＷＥＢコンテンツ作成ソフトウェア１０７ｂによって、その人物の口元が音声データ又は文字データと共に多少動くようにFlash技術などを用いたプログラミングにより画像処理を行う（ステップＳ２３０）。
【００２８】
ＣＰＵ１０７ａは、こうして作成された音声データ又は文字データと、画像データとのディジタルデータの相互関連付けを行い、ひとつのディジタルデータにまとめる（ステップＳ２４０）。ＣＰＵ１０７ａは、作成したディジタルデータを配信サーバ１０８へ送信し、配信サーバ１０８のＣＰＵ１０８ａは、そのディジタルデータをＤＢ１０８ｃに格納する。
【００２９】
図３は、携帯情報端末１０６におけるディジタルデータ再生処理を示すフローチャートである。このディジタルデータ再生処理は、ＣＰＵ１０６ａが、閲覧ソフトウェア１０６ｂを実行することにより行われる。
【００３０】
ユーザ端末である携帯情報端末１０６において、ＣＰＵ１０６ａは、配信サーバ１０８から通信ネットワーク１０３とアクセスポイント１０４経由で配信されたディジタルデータを受信する（ステップＳ３００）。
【００３１】
ＣＰＵ１０６ａは、ステップＳ３１０において、受信したディジタルデータから、音声データ又は文字データと、画像データとに分別を行う。ＣＰＵ１０６ａは、音声データをデコードし音声再生し（ステップＳ３２０）、画像データをデコードし画像表示する（ステップＳ３３０）。又はステップＳ３２０において、音声再生処理に替えて、ＣＰＵ１０６ａは、分別した文字データを、字幕として表示する。
【００３２】
音声データ再生又は文字データ表示と、画像データ表示の際に、音声データ又は文字データと、画像データとの間に関連付け処理が施されていたならば、ＣＰＵ１０６ａはステップＳ３２０、Ｓ３３０において、音声データ再生又は文字データ表示と、画像データ表示との同期処理を行う。さらに、画像データの一部が音声データ又は文字データと関連付けがある場合、ＣＰＵ１０６ａはステップＳ３２０、Ｓ３３０において、その画像データの一部と、音声データ又は文字データとを同期させ、音声データ再生又は文字データ表示と、画像データ表示の一部との同期処理も行う。
【００３３】
［実施形態２］
以下では、上述の実施形態１の構成を１例として漫画本の配信に適用した具体的な実施形態である、ディジタル漫画配信サービスについて説明する。
【００３４】
一般的に、漫画本は1ページ当たり数コマで構成され、そのコマの中では、絵と噴出しとして表現される文字が共存することが多い。ここで、ディジタル処理端末はコマ単位でディジタル化処理を行うことを想定し、その実施形態を述べる。
【００３５】
図４は、本実施形態２のディジタル漫画配信システムのシステム構成図である。図４において、ディジタル漫画配信システム４０１は、サーバ・クライアント型の配信システムであり、携帯情報端４１０６への最終アクセスラインに無線回線４０５を利用した場合を示し、携帯情報端末４０６は無線通信機能を備え、近くのアクセスポイント４０４へ接続する。
【００３６】
一方、図中符号４０２はコンテンツ事業会社のサーバシステムであり、ディジタル処理端末４０７と配信サーバ４０８とを含む。漫画本の情報は、ディジタル処理端末４０７においてディジタル処理が施される。ディジタル処理後のディジタルデータ（漫画本のディジタルコンテンツ）は配信サーバ４０８に配備され、配信リクエストのあったユーザの携帯情報端末４０６へ、通信ネットワーク４０３とアクセスポイント４０４経由で配信される。
【００３７】
尚、通信ネットワーク４０３とアクセスポイント４０４との間にキャッシュサーバ４０９を配備し、配信サーバ４０８へのアクセスを減らすことで、携帯情報端末４０６へのディジタルデータ配信の効率化を図ってもよい。
【００３８】
ディジタル処理端末４０７においてディジタル処理する漫画本の情報としては、作品を配給するメジャー系配給会社（出版会社）の漫画本、それ以外のインディーズ系の漫画家の漫画本及びその他がある。
【００３９】
ユーザは、アクセスポイント４０４が配置されたホットスポットで、携帯情報端末４０６に漫画のディジタルデータをダウンロードする。例えば、ホットスポットが駅のプラットホームであった場合、ユーザは電車４１０内で漫画を閲覧可能である。携帯情報端末４０６の液晶サイズは１．６〜２．０インチ程度と小さいが、漫画であれば十分表現可能である。
【００４０】
図５は、本実施形態２の携帯情報端末４０６の動作を説明する図である。図５において、携帯情報端末４０６は、元の漫画本の噴出しに対応した情報を音声もしくはテロップ（telop）の字幕表示へ変換し、出力する（図中符号５０１）。これは、受信したディジタルデータが、噴出しに対応した音声データ又は文字データを有することにより実現される。
【００４１】
また、携帯情報端末４０６は、ユーザのコマ送りボタン４０６ａ、４０６ｂの指示に従い、１コマずつ画像を音声もしくは字幕と連動させ表示する（図中符号５０２）。さらに携帯情報端末４０６は、Flash技術等により、音声や字幕に対応する登場人物の口元に動きを加えることで、登場人物とその噴出しとの関連付けを明確に表示する（図中符号５０３）。
【００４２】
図６は、ディジタル処理端末４０７における漫画本のディジタルデータであるディジタルコンテンツ作成処理を示すフローチャートである。このディジタルコンテンツ作成処理は、図２における説明と同様に、ディジタル処理端末４０７のＣＰＵが、ＷＥＢコンテンツ作成ソフトウェア、音声合成ソフトウェア、ＯＣＲソフトウェア等を実行することにより行われる。
【００４３】
図６において、ディジタル処理端末４０７のＣＰＵは、漫画本のアナログ情報をスキャナで読み取ったディジタル情報に対して、はじめにコマ割を行い、ストーリー展開の順番に従ってディジタル情報を１コマずつ抽出する（ステップＳ６００）。そしてディジタル処理端末４０７のＣＰＵは、順送りに１コマずつのディジタル情報から、噴出し文字情報と画像情報とを分別する（ステップＳ６１０）。
【００４４】
ステップＳ６２０において、ディジタル処理端末４０７のＣＰＵは、分別した噴出し文字情報をＯＣＲソフトウェアで読み上げた噴出し文字データを、音声合成ソフトウェアによって音声化したディジタルデータの噴出し音声データを得る。若しくは、ステップＳ６２０において、ディジタル処理端末４０７のＣＰＵは、人に読み上げられた漫画本の文字情報の音声をマイクロフォンから取り込み、レコーダソフトウェアによって音声化したディジタルデータにエンコードして噴出し音声データを得てもよい。又はステップＳ６２０において、音声化処理に替えて、ディジタル処理端末４０７のＣＰＵは、分別した噴出し文字情報をＯＣＲソフトウェアで読み上げた噴出し文字データを、そのまま取り込んでもよい。
【００４５】
一方、ステップＳ６３０において、ディジタル処理端末４０７のＣＰＵは、分別した画像情報の画像部分を走査（スキャン）してディジタル化した１コマの画像データを得る。画像データの一部が取り込んだ噴出し音声データ又は噴出し文字データと関連付けがある場合、たとえば噴出し音声データ又は噴出し文字データが画像中のある一人の発言である場合、ディジタル処理端末４０７のＣＰＵは、ＷＥＢコンテンツ作成ソフトウェアによって、その人物の口元が噴出し音声データ又は噴出し文字データと共に多少動くようにFlash技術などを用いたプログラミングにより画像処理を行う（ステップＳ６４０）。
【００４６】
ディジタル処理端末４０７のＣＰＵは、こうして作成された噴出し音声データ又は噴出し文字データと、画像データとのディジタルデータの相互関連付けを行い、1コマ分のディジタルデータにまとめる（ステップＳ６５０）。ディジタル処理端末４０７のＣＰＵは、ステップＳ６１０〜Ｓ６５０の処理を最終コマまで繰り返し（ステップＳ６６０のＹ分岐）、ひとつのディジタルデータであるディジタルコンテンツを作成する。
【００４７】
ディジタル処理端末４０７のＣＰＵは、作成したディジタルコンテンツを配信サーバ４０８へ送信し、配信サーバ４０８のＣＰＵは、そのディジタルコンテンツをＤＢに格納する。
【００４８】
図７は、携帯情報端末４０６におけるディジタルコンテンツ再生処理を示すフローチャートである。このディジタルコンテンツ再生処理は、、図３における説明と同様に、携帯情報端末４０６のＣＰＵが、閲覧ソフトウェアを実行することにより行われる。
【００４９】
ユーザ端末である携帯情報端末４０６において、携帯情報端末４０６のＣＰＵは、配信サーバ４０８から通信ネットワーク４０３とアクセスポイント４０４経由で配信されたディジタルコンテンツを受信する（ステップＳ７００）。
【００５０】
携帯情報端末４０６のＣＰＵは、ステップＳ７１０において、受信したディジタルコンテンツから順送りに１コマずつディジタルデータを抽出し、1コマ分のディジタルデータから、噴出し音声データ又は噴出し文字データと、画像データとに分別を行う。携帯情報端末４０６のＣＰＵは、噴出し音声データをデコードし音声再生し（ステップＳ７２０）、画像データをデコードし画像表示する（ステップＳ７３０）。又はステップＳ７２０において、音声再生処理に替えて、携帯情報端末４０６のＣＰＵは、分別した噴出し文字データを、字幕として表示する。
【００５１】
噴出し音声データ再生又は噴出し文字データ表示と、画像データ表示の際に、噴出し音声データ又は噴出し文字データと、画像データとの間に関連付け処理が施されていたならば、携帯情報端末４０６のＣＰＵはステップＳ７２０、Ｓ７３０において、噴出し音声データ再生又は噴出し文字データ表示と、画像データ表示との同期処理を行う。さらに、画像データの一部が噴出し音声データ又は噴出し文字データと関連付けがある場合、携帯情報端末４０６のＣＰＵはステップＳ７２０、Ｓ７３０において、その画像データの一部と、噴出し音声データ又は噴出し文字データとを同期させ、噴出し音声データ再生又は噴出し文字データ表示と、画像データ表示の一部との同期処理も行う。
【００５２】
携帯情報端末４０６のＣＰＵは、ユーザからの順送りの指示若しくは一定の時間経過により次のコマを処理し（ステップＳ７４０のＹ分岐）、ステップＳ７１０〜Ｓ７２０、Ｓ７３０の処理を最終コマまで繰り返す（ステップＳ７４０のＮ分岐）。
【００５３】
図８は、本実施形態２のディジタル漫画配信システムを利用したディジタル漫画配信サービスの１例を示す図である。
【００５４】
コンテンツ事業会社のサーバシステム４０２は、ユーザ８０１へ漫画本のディジタルコンテンツを配信し、ユーザの携帯情報端末からは漫画の人気投票とサービス使用料が、各々コンテンツ事業会社のサーバシステム４０２と携帯電話事業者８０２へと送信される。携帯電話事業者８０２は、サービス使用料をコンテンツ事業会社のサーバシステム４０２へ送り、コンテンツ事業会社のサーバシステム４０２から料金回収代行手数料を受領する。
【００５５】
一方、漫画家８０４、出版社８０５は、漫画本の情報をコンテンツ事業会社のサーバシステム４０２へ提供しその情報料をコンテンツ事業会社のサーバシステム４０２から受け取る。さらに出版社８０５は、ユーザの人気投票の人気結果をコンテンツ事業会社のサーバシステム４０２から受け取り、その人気結果を漫画家８０４の売り込みに対する採用判断の材料にできる。
【００５６】
コンテンツ事業会社のサーバシステム４０２は、広告会社８０３の広告をサービスに載せることによる広告料を得てもよい。また、ホットスポットの場所を提供する鉄道会社８０６は、コンテンツ事業会社のサーバシステム４０２から利用料を得てもよい。
【００５７】
［実施形態の効果］
以上説明したように本実施形態１、２によれば、ユーザが携帯する小型化された携帯情報端末へディジタルデータを配信するシステムにおいて、そのディジタルデータを作成する上でこれまで画像や活字として扱っていた文字情報を音声データ又は文字データにすると共に、関連した画像情報を音声データ又は文字データに同期させて再生することで、これまでの携帯情報端末における不便性の解消を実現できる。
【００５８】
【発明の効果】
以上説明したように本発明によれば、ディジタルデータ配信システムは、サーバシステムにより予め、文字情報と画像情報とを含むアナログ情報から、その文字情報に対応する音声データ又は文字データを取得し、上記アナログ情報から、上記画像情報に対応する画像データを取得して、取得された音声データ又は文字データと、取得された画像データとを含むディジタルデータを作成しておき、クライアントシステムにより、ディジタルデータを受信し、上記文字情報に対応する出力情報として、ディジタルデータが上記音声データを含む場合、その音声データを音声として再生し、ディジタルデータが上記文字データを含む場合、その文字データを字幕として表示し、上記画像情報に対応する出力情報として、ディジタルデータに含まれる上記画像データを画像として表示する。
【００５９】
これにより、紙媒体の情報をディジタル化する際に文字を画像と同様に扱わず、文字を読み上げた音声若しくは字幕としてディジタル化することで、携帯情報端末の小型化に対応する。
このため、これまでの携帯情報端末における不便性を解消することが可能となる。
【図面の簡単な説明】
【図１】本実施形態１のディジタルデータ配信システムのシステム構成図である。
【図２】本実施形態１のディジタル処理端末におけるディジタルデータ作成処理を示すフローチャートである。
【図３】本実施形態１の携帯情報端末におけるディジタルデータ再生処理を示すフローチャートである。
【図４】本実施形態２のディジタル漫画配信システムのシステム構成図である。
【図５】本実施形態２の携帯情報端末の動作を説明する図である。
【図６】本実施形態２のディジタル処理端末における漫画本のディジタルデータであるディジタルコンテンツ作成処理を示すフローチャートである。
【図７】本実施形態２の携帯情報端末におけるディジタルコンテンツ再生処理を示すフローチャートである。
【図８】本実施形態２のディジタル漫画配信システムを利用したディジタル漫画配信サービスの１例を示す図である。
【符号の説明】
１０１、４０１  ディジタルデータ配信システム
１０２、４０２  コンテンツ事業会社のサーバシステム
１０３、４０３  通信ネットワーク
１０４、４０４  アクセスポイント
１０５、４０５  無線回線
１０６、４０６  携帯情報端末
１０６ａ  ＣＰＵ
１０７、４０７  ディジタル処理端末
１０７ａ  ＣＰＵ
１０８、４０８  配信サーバ
【図１】
2004194002.tif 000003
【図２】
2004194002.tif 000004
【図３】
2004194002.tif 000005
【図４】
2004194002.tif 000006
【図５】
2004194002.tif 000007
【図６】
2004194002.tif 000008
【図７】
2004194002.tif 000009
【図８】
2004194002.tif 000010